【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】  現像剤像を担持する像担持体と、前記像担持体上の現像剤像が第１の転写位置で静電的に転写される中間転写体と、前記中間転写体上の現像剤像が記録材に第２の転写位置で静電的に転写された後、交番電圧に直流電圧が重畳された電圧が印加され、前記中間転写体上に残留する残留現像剤を帯電する帯電手段と、を有し、前記残留現像剤は前記第１の転写位置で前記中間転写体から前記像担持体へ静電的に転写された後、像担持体現像剤除去部材により除去されると共に転写同時クリーニングを行う画像形成装置において、
前記帯電手段に印加する電圧を調整する制御手段と、
前記像担持体の使用開始からの積算回転数をカウントする像担持体積算手段と、
前記中間転写体の使用開始からの積算回転数をカウントする中間転写体積算手段と、前記帯電手段の使用開始からの積算回転数をカウントする帯電積算手段と、を備え、
前記制御手段は、少なくとも、前記像担持体積算手段または前記中間転写体積算手段または前記帯電積算手段の情報に基づき、前記帯電手段に印加する電圧を調整することを特徴とする画像形成装置。
【請求項２】  現像剤像を担持する像担持体と、前記像担持体上の現像剤像が第１の転写位置で静電的に転写される中間転写体と、前記中間転写体上の現像剤像が記録材に第２の転写位置で静電的に転写された後、交番電圧に直流電圧が重畳された電圧が印加され、前記中間転写体上に残留する残留現像剤を帯電する帯電手段と、を内包するプロセスカートリッジを有し、前記残留現像剤は前記第１の転写位置で前記中間転写体から前記像担持体へ静電的に転写された後、像担持体現像剤除去部材により除去されると共に、転写同時クリーニングを行う画像形成装置において、
前記帯電手段に印加する電圧を調整する制御手段と、
少なくとも前記像担持体、または前記中間転写体、または前記帯電手段の使用開始からの積算回転数をカウントする積算手段と、を備え、
前記制御手段は、前記積算手段の情報に基づき、前記帯電手段に印加する電圧を調整することを特徴とする画像形成装置。
【請求項３】  現像剤像を担持する像担持体と、前記像担持体上の現像剤像が第１の転写位置で静電的に転写される中間転写体と、前記中間転写体上の現像剤像が記録材に第２の転写位置で静電的に転写された後、交番電圧に直流電圧が重畳された電圧が印加され、前記中間転写体上に残留する残留現像剤を帯電する帯電手段と、を内包するプロセスカートリッジが着脱可能な画像形成装置において、
前記帯電手段に印加する電圧を調整する制御手段と、
少なくとも前記像担持体、または前記中間転写体、または前記帯電手段の使用開始からの積算回転数をカウントする積算手段と、を備え、
前記制御手段は、前記積算手段の情報に基づき、前記帯電手段に印加する電圧を調整することを特徴とする画像形成装置。
【請求項４】  現像剤像を担持する像担持体と、前記像担持体上の現像剤像が第１の転写位置で静電的に転写される中間転写体と、前記中間転写体上の現像剤像が記録材に第２の転写位置で静電的に転写された後、交番電圧に直流電圧が重畳された電圧が印加され、前記中間転写体上に残留する残留現像剤を帯電する帯電手段と、を内包するプロセスカートリッジを有し、前記残留現像剤は前記第１の転写位置で前記中間転写体から前記像担持体へ静電的に転写された後、像担持体現像剤除去部材により除去される画像形成装置において、
前記帯電手段に印加する電圧を調整する制御手段を有し、
前記プロセスカートリッジは、情報を記録するメモリー部材を有し、
前記制御手段は、前記メモリー部材の情報に基づき、前記帯電手段に印加する電圧を調整することを特徴とする画像形成装置。
【請求項５】  前記メモリー部材の情報は、前記像担持体の膜厚に関する情報と、前記中間転写体の抵抗値に関する情報と、前記帯電手段の抵抗値に関する情報と、であることを特徴とする請求項４に記載の画像形成装置。
【請求項６】  前記メモリー部材は、前記像担持体の回転時間または回転数に関する情報と、前記中間転写体の回転数または回転時間に関する情報と、前記帯電手段の回転数または回転時間に関する情報の内のいずれかを記憶することを特徴とする請求項４または５に記載の画像形成装置。
【請求項７】  画像形成装置に着脱可能なカートリッジであって、現像剤像を担持する像担持体と、該像担持体上の現像剤像が第１の転写位置で静電的に転写される中間転写体と、該中間転写体上の現像剤像が記録材に第２の転写位置で静電的に転写された後、交番電圧に直流電圧が重畳された電圧が印加され、前記中間転写体上に残留する残留現像剤を帯電する帯電手段と、情報を記憶するメモリー部材と、を有し、
該メモリー部材は、前記像担持体の膜厚に関する情報を記憶する記憶領域と、前記中間転写体の抵抗値に関する情報を記憶する記憶領域と、前記帯電手段の抵抗値に関する情報を記憶する記憶領域と、を有することを特徴とするカートリッジ。
【請求項８】  前記メモリー部材は、更に、前記像担持体の回転時間または回転数に関する情報を記憶する記憶領域と、前記中間転写体の回転数または回転時間に関する情報を記憶する記憶領域と、前記帯電手段の回転数または回転時間に関する情報を記憶する記憶領域のいずれかを有することを特徴とする請求項６に記載のカートリッジ。
【請求項９】  画像形成装置に着脱可能であり、現像剤像を担持する像担持体と、該像担持体上の現像剤像が第１の転写位置で静電的に転写される中間転写体と、該中間転写体上の現像剤像が記録材に第２の転写位置で静電的に転写された後、交番電圧に直流電圧が重畳された電圧が印加され、前記中間転写体上に残留する残留現像剤を帯電する帯電手段とを含むカートリッジに搭載される記憶媒体であって、
前記像担持体の膜厚に関する情報を記憶する記憶領域と、前記中間転写体の抵抗値に関する情報を記憶する記憶領域と、前記帯電手段の抵抗値に関する情報を記憶する記憶領域と、を有することを特徴とする記憶媒体。
【手続補正２】
【補正対象書類名】明細書
【補正対象項目名】００３２
【補正方法】変更
【補正の内容】
【００３２】
（１）現像剤像を担持する像担持体と、前記像担持体上の現像剤像が第１の転写位置で静電的に転写される中間転写体と、前記中間転写体上の現像剤像が記録材に第２の転写位置で静電的に転写された後、交番電圧に直流電圧が重畳された電圧が印加され、前記中間転写体上に残留する残留現像剤を帯電する帯電手段と、を有し、前記残留現像剤は前記第１の転写位置で前記中間転写体から前記像担持体へ静電的に転写された後、像担持体現像剤除去部材により除去されると共に転写同時クリーニングを行う画像形成装置において、
前記帯電手段に印加する電圧を調整する制御手段と、
前記像担持体の使用開始からの積算回転数をカウントする像担持体積算手段と、
前記中間転写体の使用開始からの積算回転数をカウントする中間転写体積算手段と、前記帯電手段の使用開始からの積算回転数をカウントする帯電積算手段と、を備え、
前記制御手段は、少なくとも、前記像担持体積算手段または前記中間転写体積算手段または前記帯電積算手段の情報に基づき、前記帯電手段に印加する電圧を調整する画像形成装置。
【手続補正３】
【補正対象書類名】明細書
【補正対象項目名】００３３
【補正方法】変更
【補正の内容】
【００３３】
（２）現像剤像を担持する像担持体と、前記像担持体上の現像剤像が第１の転写位置で静電的に転写される中間転写体と、前記中間転写体上の現像剤像が記録材に第２の転写位置で静電的に転写された後、交番電圧に直流電圧が重畳された電圧が印加され、前記中間転写体上に残留する残留現像剤を帯電する帯電手段と、を内包するプロセスカートリッジを有し、前記残留現像剤は前記第１の転写位置で前記中間転写体から前記像担持体へ静電的に転写された後、像担持体現像剤除去部材により除去されると共に、転写同時クリーニングを行う画像形成装置において、
前記帯電手段に印加する電圧を調整する制御手段と、
少なくとも前記像担持体、または前記中間転写体、または前記帯電手段の使用開始からの積算回転数をカウントする積算手段と、を備え、
前記制御手段は、前記積算手段の情報に基づき、前記帯電手段に印加する電圧を調整する画像形成装置。
【手続補正４】
【補正対象書類名】明細書
【補正対象項目名】００３４
【補正方法】変更
【補正の内容】
【００３４】
（３）現像剤像を担持する像担持体と、前記像担持体上の現像剤像が第１の転写位置で静電的に転写される中間転写体と、前記中間転写体上の現像剤像が記録材に第２の転写位置で静電的に転写された後、交番電圧に直流電圧が重畳された電圧が印加され、前記中間転写体上に残留する残留現像剤を帯電する帯電手段と、を内包するプロセスカートリッジが着脱可能な画像形成装置において、
前記帯電手段に印加する電圧を調整する制御手段と、
少なくとも前記像担持体、または前記中間転写体、または前記帯電手段の使用開始からの積算回転数をカウントする積算手段と、を備え、
前記制御手段は、前記積算手段の情報に基づき、前記帯電手段に印加する電圧を調整する画像形成装置。
【手続補正５】
【補正対象書類名】明細書
【補正対象項目名】００３５
【補正方法】変更
【補正の内容】
【００３５】
（４）現像剤像を担持する像担持体と、前記像担持体上の現像剤像が第１の転写位置で静電的に転写される中間転写体と、前記中間転写体上の現像剤像が記録材に第２の転写位置で静電的に転写された後、交番電圧に直流電圧が重畳された電圧が印加され、前記中間転写体上に残留する残留現像剤を帯電する帯電手段と、を内包するプロセスカートリッジを有し、前記残留現像剤は前記第
１の転写位置で前記中間転写体から前記像担持体へ静電的に転写された後、像担持体現像剤除去部材により除去される画像形成装置において、
前記帯電手段に印加する電圧を調整する制御手段を有し、
前記プロセスカートリッジは、情報を記録するメモリー部材を有し、
前記制御手段は、前記メモリー部材の情報に基づき、前記帯電手段に印加する電圧を調整する画像形成装置。
【手続補正６】
【補正対象書類名】明細書
【補正対象項目名】００３８
【補正方法】変更
【補正の内容】
【００３８】
（７）画像形成装置に着脱可能なカートリッジであって、現像剤像を担持する像担持体と、該像担持体上の現像剤像が第１の転写位置で静電的に転写される中間転写体と、該中間転写体上の現像剤像が記録材に第２の転写位置で静電的に転写された後、交番電圧に直流電圧が重畳された電圧が印加され、前記中間転写体上に残留する残留現像剤を帯電する帯電手段と、情報を記憶するメモリー部材と、を有し、
該メモリー部材は、前記像担持体の膜厚に関する情報を記憶する記憶領域と、前記中間転写体の抵抗値に関する情報を記憶する記憶領域と、前記帯電手段の抵抗値に関する情報を記憶する記憶領域と、を有するカートリッジ。
【手続補正７】
【補正対象書類名】明細書
【補正対象項目名】００３９
【補正方法】変更
【補正の内容】
【００３９】
（８）前記メモリー部材は、更に、前記像担持体の回転時間または回転数に関する情報を記憶する記憶領域と、前記中間転写体の回転数または回転時間に関する情報を記憶する記憶領域と、前記帯電手段の回転数または回転時間に関する情報を記憶する記憶領域のいずれかを有する前項（６）に記載のカートリッジ。
【手続補正８】
【補正対象書類名】明細書
【補正対象項目名】００４０
【補正方法】変更
【補正の内容】
【００４０】
（９）画像形成装置に着脱可能であり、現像剤像を担持する像担持体と、該像担持体上の現像剤像が第１の転写位置で静電的に転写される中間転写体と、該中間転写体上の現像剤像が記録材に第２の転写位置で静電的に転写された後、交番電圧に直流電圧が重畳された電圧が印加され、前記中間転写体上に残留する残留現像剤を帯電する帯電手段とを含むカートリッジに搭載される記憶媒体であって、
前記像担持体の膜厚に関する情報を記憶する記憶領域と、前記中間転写体の抵抗値に関する情報を記憶する記憶領域と、前記帯電手段の抵抗値に関する情報を記憶する記憶領域と、を有する記憶媒体。